(57)【要約】【課題】吐水口の両端部での流れを外向きにして収束距離の長い滝状の吐水を実現できる吐水装置を提供すること。【解決手段】吐水装置１は、細長の吐水口２１を有する本体１０と、本体１０の内部に形成される通水入口６１と吐水口２１を接続する通水路４０と、を備え、通水路４０は、通水入口６１よりも流路の幅が広く、下流側に位置する第１通水室出口７１の幅が吐水口２１の長手方向の長さよりも狭い第１通水室６０と、吐水口２１が配置され、吐水口２１の長手方向の長さ以上の流路の幅で第１通水室出口７１と吐水口２１を接続する第２通水室７０と、を有する。【選択図】図６
2018115527.tif 000002
【特許請求の範囲】
【請求項１】
細長の吐水口を有する本体と、
前記本体の内部に形成される通水入口と前記吐水口を接続する通水路と、を備え、
前記通水路は、
前記通水入口の幅よりも流路の幅が広く、下流側に位置する出口の幅が前記吐水口の長手方向の長さよりも狭い第１通水室と、
前記吐水口が配置され、前記吐水口の長手方向の長さ以上の流路の幅で前記出口と前記吐水口を接続する第２通水室と、を有する吐水装置。
【請求項２】
前記第１通水室の前記出口は、
前記通水路の両側に位置する内側壁から幅方向にそれぞれ延び出る壁状部材によって形成される請求項１に記載の吐水装置。
【請求項３】
平面視において前記壁状部材の幅方向の先端部と、該壁状部材の先端部よりも幅方向外側に位置する前記吐水口の端部と、がなす角度が８度以上１５度以下である請求項２に記載の吐水装置。
【発明の詳細な説明】
【技術分野】
【０００１】
本発明は、細長の吐水口を有する吐水装置に関する。
【背景技術】
【０００２】
従来、細長の吐水口から滝状に吐水する吐水装置が知られている。この種の吐水装置を開示するものとして例えば特許文献１や特許文献２がある。特許文献１には、内部に形成される水溜室の後壁に流入口を開設し、該流入口に相対する障害体を該水溜室の天井壁から垂下する吐水金具について記載されている。該水溜室の前壁には幅広の堰部を形成し、その先に扁平幅広の吐水口が形成されている。特許文献２には、スリット状の吐水口と、吐水口に水を供給するための吐出通路とが形成される吐水部材を備え、吐出通路には、上流側から流入する水を貯溜水として溜めるための貯溜室が形成されるとともに、前記貯溜室内の貯溜水を前記吐水口に送り出すための絞り流路が形成され、吐出通路の幅方向両側の側面は、貯溜室側から吐水口側に近づくにつれて通路幅が広がるように形成されるとともに、吐水口の幅方向と平行な仮想線と、側面において吐水口の開口縁を通る接線とがなす鋭角での角度が４５°以上９０°未満となるように形成される吐水装置について記載されている。
【先行技術文献】
【特許文献】
【０００３】
【特許文献１】公開実用昭和５９−２７２７１号公報
【特許文献２】特開２０１５−２２６６２８号公報
【発明の概要】
【発明が解決しようとする課題】
【０００４】
細長の吐水口から吐水される水は、吐水口から離れるにつれて中央に狭まる形状となる。吐水口から流れる水を滝状に見せるためには吐水口から中央に狭まる収束距離をできるだけ長くすることが好ましい。この点、特許文献２に記載される吐水装置では吐水口に向けて流路を広げて吐水口の両端で外側に流れる力を大きくしているものの、流路の幅を徐々に広げる構造のため吐水装置の幅を大きくとる必要もあり、流れの強さを正確に調整するという点でも改善の余地があった。
【０００５】
本発明は、吐水口の両端部での流れを外向きにして収束距離の長い滝状の吐水を実現できる吐水装置を提供することを目的とする。
【課題を解決するための手段】
【０００６】
本発明は、細長の吐水口（例えば、後述の吐水口２１）を有する本体（例えば、後述の本体１０）と、前記本体の内部に形成される通水入口（例えば、後述の通水入口６１）と前記吐水口を接続する通水路（例えば、後述の通水路４０）と、を備え、前記通水路は、前記通水入口の幅よりも流路の幅が広く、下流側に位置する出口（例えば、後述の第１通水室出口７１）の幅が前記吐水口の長手方向の長さよりも狭い第１通水室（例えば、後述の第１通水室６０）と、前記吐水口が配置され、前記吐水口の長手方向の長さ以上の流路の幅で前記出口と前記吐水口を接続する第２通水室（例えば、後述の第２通水室７０）と、を有する吐水装置（例えば、後述の吐水装置１）に関する。
【０００７】
前記第１通水室の前記出口は、前記通水路の両側に位置する内側壁（例えば、後述の内側壁６４）から前記幅方向にそれぞれ延び出る壁状部材（例えば、後述の区画壁６７）によって形成されることが好ましい。
【０００８】
平面視において前記壁状部材の幅方向の先端部（例えば、後述の先端部６８）と、該壁状部材の先端部よりも幅方向外側に位置する前記吐水口の端部（例えば、後述の端部２２）と、がなす角度（例えば、所定角度α）が８度以上１５度以下であることが好ましい。
【発明の効果】
【０００９】
本発明の吐水装置によれば、吐水口の両端部での流れを外向きにして収束距離の長い滝状の吐水を実現できる。
【図面の簡単な説明】
【００１０】
【図１】本発明の一実施形態に係る吐水装置を下から見た斜視図である。
【図２】本実施形態の吐水装置の平面図である。
【図３】本実施形態の吐水装置の正面図である。
【図４】本実施形態の吐水装置の内部の様子を示す斜視図である。
【図５】本実施形態の吐水装置の側面断面図である。
【図６】本実施形態の吐水装置の通水路を流れる湯水の様子を模式的に示す平面図である。
【図７】本実施形態の吐水装置の区画壁の先端部と吐水口の端部がなす角度を示す拡大平面図である。
【発明を実施するための形態】
【００１１】
以下、本発明の好ましい実施形態である吐水装置１について図面を参照しながら説明する。本実施形態の吐水装置１は、滝状の吐水を行うものであり、浴室等に用いられるものである。
【００１２】
図１から図３に示すように、吐水装置１は、本体１０と、吐水プレート２０と、切替ハンドル１１と、温度調節ハンドル１２と、を備える。
【００１３】
本体１０には、給湯配管１３及び給水配管１４を通じて湯水が供給される。給湯配管１３及び給水配管１４は、本体１０の背面側に接続されており、周面を覆う配管カバー１５がそれぞれ設けられる。
【００１４】
本体１０の背面側であって給湯配管１３及び給水配管１４の間にはシャワー部（図示省略）に湯（高温の水）又は水を供給するためのシャワー配管１６が設けられる。本実施形態のシャワー配管１６は、本体１０の中央に配置されている。
【００１５】
吐水プレート２０は、本体１０の正面側下部に固定されている。吐水プレート２０には細長の吐水口２１が形成されている。本体１０に供給された湯水は、吐水口２１を出口として滝状（膜状）に吐水される。
【００１６】
切替ハンドル１１は、給水先を吐水装置１の吐水口２１か上述のシャワー部のいずれかに切り替えるためのものであり、本体１０の一側の側面に配置されている。吐水装置１の使用者は、この切替ハンドル１１によって、湯水の出し止めや吐水される水量の調節を行う。
【００１７】
温度調節ハンドル１２は、吐水される湯水の温度を調節するためのものであり、本体１０の切替ハンドル１１が配置された面とは反対の側面に配置される。使用者は、温度調節ハンドル１２によって湯水の温度調節を行う。
【００１８】
次に、吐水装置１の内部構造について説明する。図４は、本実施形態の吐水装置１の内部の様子を示す斜視図である。図５は、本実施形態の吐水装置１の側面断面図である。
【００１９】
本体１０の内部背面側には切替弁機能及び温度調節機能が一体となった切替弁温度調節ユニット５０が設けられる。切替弁温度調節ユニット５０は、本体１０に内挿される略筒状のケーシング４５と、水の経路及び水量を切り替える切替弁部５１と、温度調節を行う温度調節部５２と、を備える。切替弁部５１と温度調節部５２は、ケーシング４５の内側で略同軸上に位置しており、切替弁温度調節ユニット５０は全体として略筒状に形成される。本実施形態では、切替弁部５１はシャワー部のシャワー配管１６の位置に応じて本体１０の一側から内部中央まで延びている。本体１０の内部中央に位置する。また、切替弁部５１は、本体１０の内部中央から切替ハンドル１１が配置される側に本体１０の幅方向（左右方向）に延びるように構成されている。
【００２０】
温度調節部５２には温度調節ハンドル１２が連結されている。温度調節ハンドル１２の回転操作によって吐水の温度調節が行われる。切替弁部５１には切替ハンドル１１が連結されている。切替ハンドル１１の回転操作により、温度調節部５２によって温度調節された湯水が、吐水口２１又はシャワー配管１６に送られるとともにその吐水流量が調節される。
【００２１】
切替弁温度調節ユニット５０の正面側には、湯水を吐水口２１まで案内する部屋状の通水路４０が形成される。通水路４０は、その背面側に位置する内壁に切替弁部５１からの湯水が導入される通水入口６１が形成されている。本実施形態の通水入口６１は、吐水装置１の本体１０の幅方向中央よりも右側（切替ハンドル１１側）に位置している。なお、シャワー配管１６に連通するシャワー入口（図示省略）は、湯水を集めやすい幅方向中央に位置しており、通水入口６１は該シャワー入口よりも切替ハンドル１１側に位置するレイアウトになっている。
【００２２】
切替弁部５１によって湯水の経路が吐水口２１側に切り替えられると、本体１０の上流側から通水入口６１を通じて湯水が通水路４０に流れ込む。通水路４０を通った後、吐水口２１から滝状に外部に吐出される。
【００２３】
本実施形態の通水路４０は、通水入口６１に接続される第１通水室６０と、第１通水室６０の下流側に位置し、吐水プレート２０が固定される第２通水室７０と、を備える。
【００２４】
第１通水室６０は、通水入口６１の幅ｗ１よりも広い流路となっている。第１通水室６０は、全体として下流側に進むにつれて流路の幅が広がる形状となっている。第１通水室６０には、上流側から下流側の順に撹拌壁６５、流速減衰壁６６が配置される。また、第１通水室６０の下流側端部には、第１通水室６０と第２通水室７０を区画する左右一対の区画壁６７が設けられる。
【００２５】
撹拌壁６５は、通水入口６１に対向する位置に形成される。撹拌壁６５は、その平面部分が通水路４０の幅方向（左右方向）に沿うように、通水路４０の底面６２から上方に延び出ている。図５に示すように、撹拌壁６５の上端部と通水路４０の天井部分である天井壁６３との間には隙間が形成される。
【００２６】
本実施形態の撹拌壁６５は、通水路４０の左右両側の内側壁６４との間に隙間ができるように第１通水室６０（通水路４０）の幅よりも狭く、かつ、通水入口６１の開口幅よりも広く形成されている。
【００２７】
流速減衰壁６６は、撹拌壁６５の正面側で天井壁６３から垂れ下がっており、流速減衰壁６６の下端部と底面６２の間には隙間が形成されている。本実施形態の流速減衰壁６６は、通水路４０の幅方向全域にわたっており、左右の内側壁６４が流速減衰壁６６によって接続されている。
【００２８】
本実施形態では、撹拌壁６５の先端と流速減衰壁６６の先端との高さが一致する又は撹拌壁６５と流速減衰壁６６が正面視において重なる（交差する）ように撹拌壁６５と流速減衰壁６６のそれぞれの高さが設定されている。本体１０内部の通水路４０は、側面視においてラビリンス構造のようになっている。
【００２９】
区画壁６７は、左右両側の内側壁６４のそれぞれから通水路４０の幅方向に沿って流路の中央側に延び出ている。区画壁６７は、それぞれ底面６２と天井壁６３とを接続するように通水路４０の上下方向にわたって形成されている。
【００３０】
一側の区画壁６７と他側の区画壁６７の間の隙間が第１通水室６０の第１通水室出口７１となる。本実施形態の第１通水室出口７１の幅ｗ２は、吐水口２１の長手方向の長さｗ３よりも狭くなっている。
【００３１】
第２通水室７０は、第１通水室出口７１の幅及び吐水口２１の長手方向の長さよりも幅広い流路となっている。本実施形態の第２通水室７０は、正面側に進むにつれて幅広な形状となっている。第２通水室７０の下流側端部に、吐水口２１が下向きに開口するように吐水プレート２０が固定されている。また、吐水口２１の長手方向は、第２通水室７０の流路の幅方向に沿っており、湯水が第２通水室７０に流れ込む方向に対して直交する向きとなっている。なお、本実施形態の吐水プレート２０の内側には変形を防止するためのバネ９０が配置される。
【００３２】
図５に示すように、第２通水室７０は、第１通水室６０よりも高い位置に形成されており、第１通水室６０と第２通水室７０の間には段差が生じている。左右一対の区画壁６７は第１通水室６０の底面６２よりも高い第２通水室７０の入口に形成される。
【００３３】
次に、通水入口６１から吐水口２１までの湯水の流れについて説明する。図６は、本実施形態の吐水装置１の通水路４０を流れる湯水の様子を模式的に示す平面図である。図６の矢印に示すように、通水入口６１から通水路４０に流入した湯水は、撹拌壁６５によって左右方向に拡がった後、撹拌壁６５と内側壁６４の間を回り込んで下流側に向かう。
【００３４】
撹拌壁６５によって撹拌された湯水は、流速減衰壁６６に衝突して流速が減衰された後に、流速減衰壁６６の下側を通って下流側に流れる。本実施形態の流速減衰壁６６は、通水路４０の幅方向全域に形成されているので、湯水の流速は幅方向で偏ることなく減速される。
【００３５】
流速減衰壁６６で減速した湯水は、下流側に位置する左右の区画壁６７の間を通って吐水口２１へと向かう。このとき、流速減衰壁６６の下側を通った湯水のうち、左右の内側壁６４に沿って流れる湯水は区画壁６７を内側に回り込むように流れる。図６の矢印に示すように、区画壁６７を回り込んだ湯水は外向きの流れが強くなった状態で吐水口２１から吐出される。区画壁６７によって湯水が外側に案内されることにより、吐水口２１の両端部における湯水の流れが強くなる。滝状に吐水する場合、一般的に幅方向中央の流速が早くなるが、本実施形態の構成によれば吐水口２１の端部で外側に向かう力を増大させることができるので、吐水口２１から吐出される滝の形状の収束距離を長くすることができ、美観に優れた滝状吐水を実現できる。
【００３６】
以上説明した本実施形態は以下のように構成される。
本実施形態の吐水装置１は、細長の吐水口２１を有する本体１０と、本体１０の内部に形成される通水入口６１と吐水口２１を接続する通水路４０と、を備え、通水路４０は、通水入口６１の幅ｗ１よりも流路の幅が広く、下流側に位置する第１通水室出口７１の幅ｗ２が吐水口２１の長手方向の長さｗ３よりも狭い第１通水室６０と、吐水口２１が配置され、吐水口２１の長手方向の長さｗ３以上の流路の幅で第１通水室出口７１と吐水口２１を接続する第２通水室７０と、を有する。
【００３７】
これにより、第１通水室出口７１を通過して第１通水室６０から第２通水室７０に流れ込むときに、吐水口２１の端部２２で湯水が外側に向かう流れを強くすることができる。従って、幅方向中央と幅方向両側での流れの偏りをなくすことができ、幅方向で偏りのない均整のとれた滝状の吐水を実現できる。
【００３８】
また、本実施形態の第１通水室６０の第１通水室出口７１は、通水路４０の幅方向両側に位置する内側壁６４から幅方向にそれぞれ延び出る区画壁６７によって形成される。
【００３９】
これにより、吐水口２１の端部で湯水が外側に向かう流れの強さを区画壁６７の突出量により正確に調整することができる。
【実施例】
【００４０】
吐水口２１の端部における湯水の外側に向かう強さは、区画壁６７の幅方向の長さ（突出量）によって調整することができる。次に、図７を参照して区画壁６７の突出量によって調節される滝の形状及び実証結果について説明する。なお、図７では、一側（左側）の区画壁６７のみが示されているが、他側（右側）の区画壁６７においても左右対称な同じ形状である。また、吐水プレート２０の内側に配置されるバネ９０の図示も省略している。
【００４１】
図７に示すように、左側の区画壁６７の先端部６８よりも吐水口２１の左側の端部２２の方が幅方向外側に位置している。平面視において、区画壁６７の先端部６８と吐水口２１の左側の端部２２がなす角度αが所定の範囲に納めることで吐水口２１から吐出される滝の形状を設定することができる。
【００４２】
上記実施形態の吐水装置１の通水路４０に流れる湯水の流速を１５Ｌ／ｍｉｎから２０Ｌ／ｍｉｎの範囲に設定し、区画壁６７の突出量を変更して上述の所定角度αの好ましい範囲を実験したところ、８度以上１５度以下の範囲に設定することで均整のとれた滝の形状で吐水を行うことができることが確認された。この実験では、角度αが８度未満であれば吐水口２１から吐水された湯水が中央に集まるまでの収束距離の長さを十分に確保できなくなり、１５度を上回る場合は外側に向かう力が強くなり過ぎて滝の形状が２つに分かれてしまうことが目視で確認された。
【００４３】
上記実施例によれば、吐水装置１は、平面視において区画壁６７の幅方向の先端部６８と、該区画壁６７の先端部６８よりも幅方向外側に位置する吐水口２１の端部２２と、がなす角度が８度以上１５度以下であることが好ましい。
【００４４】
これにより、所定角度が小さすぎるために滝の収束距離を十分に確保できない事態や所定角度が大きいために湯水の外側に向かう流れが強くなり過ぎて滝が真ん中で別れてしまうような事態を防止でき、より均整のとれた滝の形状を実現できる。
【００４５】
なお、本発明は上記実施例の所定角度αの範囲に限定されるわけではなく、流速や吐水口の構造や吐水したい滝の形状に応じて角度αの大きさを適宜変更してもよい。
【００４６】
以上、本発明の好ましい実施形態及び実施例について説明したが、本発明は、上述の実施形態に制限されるものではなく、適宜変更が可能である。
【００４７】
上記実施形態では、第１通水室６０は、区画壁６７によって第１通水室出口が形成される構成であるが、この構成に限定されない。例えば、第１通水室６０における区画壁６７の上流側の内側壁６４が区画壁６７の位置までせり出すように第１通水室を構成することもできる。この場合、区画壁は第１通水室の内側壁の一部となる。
【００４８】
上記実施形態では、第１通水室６０に撹拌壁６５及び流速減衰壁６６が設けられる構成であるが、場合によっては撹拌壁６５及び流速減衰壁６６を省略することもできる。
【００４９】
上記実施形態では、吐水口２１が下向きの吐水装置１を例として説明したが、吐水口が横向きの吐水装置にも本発明を適用することができる。
【符号の説明】
【００５０】
１  吐水装置
１０  本体
２１  吐水口
４０  通水路
６０  第１通水室
６１  通水入口
６４  内側壁
６７  区画壁
７０  第２通水室
７１  第１通水室出口（出口）
【図１】
2018115527.tif 000003
【図２】
2018115527.tif 000004
【図３】
2018115527.tif 000005
【図４】
2018115527.tif 000006
【図５】
2018115527.tif 000007
【図６】
2018115527.tif 000008
【図７】
2018115527.tif 000009